(57)【特許請求の範囲】
【請求項１】
外管と、前記外管内から伸長・退入する内管とから構成される脚に、支持部材を取り付けた画架において、
脚に外嵌するＣ字形の環状部材と、環状部材の両端部を接近させる締結部材と、受け部とによって支持部材を構成したものであり、
環状部材に球状突部を突設し、受け部に平面部と平面部の両側の下面に突設した垂直部を形成し、前記垂直部に上記球状突部を係合する丸孔を穿設したものであり、
球状突部の側面に突起が突設されており、当該突起が前記丸孔内でのみ移動できることを特徴とする画架。
【請求項２】
請求項１に記載の締結部材の先端部を折曲し、外管又は内管の外径に対応させて、前記締結部材の先端部を係合する係合溝を、環状部材の一端部に複数形成したことを特徴とする画架。
【請求項３】
請求項１又は請求項２に記載の環状部材の他端部に軸受を突設し、前記軸受にレバーの基端部を枢着し、レバーの中間部に締結部材の基端部を枢着したことを特徴とする画架。
【請求項４】
外管と、前記外管内から伸長・退入する内管とをクランパによって連結した脚を含む画架において、
クランパを、軸方向に相対的に移動する内筒と外筒とから構成し、内筒の内管を外嵌する側の端部にスリットを形成し、外周をテーパ状に拡径させると共に、前記内筒に案内孔を形成し、前記案内孔に嵌入するピンを外筒の内面に突出させたものであり、
外筒に対して回転力が加えられると、外筒の内面から突出したピンが内筒の案内溝内を移動し、外筒が上下方向および周方向に回転して内筒が外筒内を軸方向に移動し、
ピンが内筒の上端部寄りの案内孔内に位置しているときは、テーパー状に拡径した内筒の内管を外嵌する側の端部が、外筒の下端部から突出し、内筒内の内管が自由に移動可能となり、
ピンが内筒の上端部から離れた周方向の案内孔内に位置しているときは、内筒の内管を外嵌する側の端部が、外筒の下端部内に収納され、当該下端部が縮径して内管を締め付けることを特徴とする画架。
【発明の詳細な説明】
【０００１】
【産業上の利用分野】
本発明は、脚に取り付けた支持部材上に、絵を描く際にカンバスや、絵、写真などを載せる画架に関し、詳しくはカンバスなどサイズに合わせて支持部材の取付位置を容易に変更できるようにした画架に関するものである。
【０００２】
【従来の技術】
従来より一般に使用されている画架は、三脚と三脚の頂部に鉛直方向に連結した支持杆とから構成される。手前側の２本の脚の任意の箇所には、図２１及び図２２に示すように、カンバスや絵、写真など（以下、「カンバス」のみ記載する。）を載せる支持部材１１０が取り付けられる。支持部材１１０は手前側の２本の脚１００に外嵌するＣ字形の基部１１１と、折曲した基部１１１の両端部の間に挟まれる取付具１１２と、基部１１１の両端部を締結するボルト１１３及びナット１１４と、線状部材をＬ字形に成形し、取付具１１２に螺着する受け部１１５とから構成される。
【０００３】
他方、３本の脚１００の連結部には、図２３に示すような頂部をＬ字形に折曲した支持杆１０７を接続する。支持杆１０７の頂部には押さえ部材１２０を固定する。押さえ部材１２０はカンバスＣを係止する爪部材１２１と、爪部材を支持杆１０７に固定するネジ１２２とから構成される。爪部材１２１はカンバスＣの上縁を係止できるように先端部が折曲され、カンバスＣの様々な厚さに対応できるようにするため、ネジ１２２を挿通する長孔１２１ａが穿設されている。
【０００４】
従来の画架は以上のように構成し、上記の脚１００に取り付けた支持部材１１０の受け部１１５にカンバスＣの下縁を載せ、押さえ部材１２０の爪部材１２１にカンバスＣの上縁を係止することによって、カンバスＣは画架に固定される。また、画架はカンバスＣのサイズに合わせて、支持部材１１０の取付位置や爪部材１２１の位置を調整することができる。
【０００５】
すなわち、支持部材１１０は脚１００に取り付けているため、小さなカンバスＣを固定するときは、支持部材１１０を脚１００の上側に固定し、大きなカンバスＣを固定するときは、支持部材１１０を脚１００の下側に固定する。支持部材１１０はボルト１１３を緩めることにより、脚１００の任意の位置に移動させることができる。カンバスＣの下縁は線状部材をＬ字形に折曲した受け部１１５に支持されて、脱落することがない。
【０００６】
他方、押さえ部材１２０の爪部材１２１は、カンバスＣが厚いときに手前に引き出し、薄いときは奥側へ押し出す。このように爪部材１２１を移動させることによって様々なカンバスＣの厚さに対応することができる。
【０００７】
【発明が解決しようとする課題】
従来の画架は、コンパクトに収納することができるようにするため、脚１００は外管と内管とから構成されている。すなわち、画架を使用しないときは、内管を外管内に収納して脚１００を短くし、画架を使用するときは、内管を外管内から伸長し、脚１００を長くする。そして、脚１００に取り付けた支持部材１１０上にカンバスＣを載せる。カンバスＣを安定して載せるため、支持部材１１０はカンバスＣのサイズに合わせて取付位置を変えられるようにされている。
【０００８】
しかし、従来の支持部材１００は外管の外径に合わせて基部１１１が成形されているため、外管の長さの範囲でしかカンバスＣのサイズに対応できなかった。すなわち、小さなカンバスＣを載せるときは、支持部材１１０を外管の上側に取り付けることができる。しかし大きなカンバスＣを載せるときであっても、支持部材１１０の基部１１１を広い間隔で内管に取り付けることができず、外管の下側で支持部材１００を取り付けなければならなかった。外管の下側であっても、カンバスＣのサイズが大きいと、載せられ方が不安定になる。外管と内管の外径に対応した２組の支持部材１１０を取り付けることも可能であるが、そするとコストアップをもたらせたり、使用しない方の支持部材１１０が邪魔になる。
【０００９】
さらに、従来の支持部材１１０は基部１１１をボルト１１３とナット１１４とによって、脚１００に固定していたため、ドライバーなどを携帯する必要があるといった煩わしさがあった。しかも、支持部材１１０の受け部１１５にカンバスＣを載せながら、支持部材１１０の取付位置を調整する必要があるときは、カンバスＣを一方の手で保持しながら、他方の手でボルト１１３とナット１１４とを締めなければならず、実際上、一人で作業することが困難であった。
【００１０】
また画架は、カンバスＣのサイズに合わせて、外管内から内管を伸長し、脚１００の長さを調整しなければならない。脚１００の長さの調整は、カンバスＣを支持部材１１０上に載せる前に、画架を寝かせた状態で、内管を外管内から適当な長さだけ伸長し、つぎに、画架を起こして、高さの不適切な脚１００がないかどうかを検討する。そして、不適切な長さの脚１００があれば、上記の作業を繰り返さなければならない。
【００１１】
しかし、外管内から伸長された内管を固定するには、脚１００の長さを調整する部材そ緩めたり、締め込んだりする作業が必要なことから、脚１００の長さを調整する作業は大変、面倒であった。しかも、脚１００は３本あるため、画架の高さを調整する作業は、使用者にとって一苦労であった。
【００１２】
そこで本発明は、支持部材が脚の外管にも内管にも取り付けることができるようにするとともに、脚の長さの調整を容易にすることができるようにした画架を提供することを目的とする。
【００１３】
【課題を解決するための手段】
上記の課題を解決するための第１の手段は、外管と、前記外管内から伸長・退入する内管とから構成される脚に、支持部材を取り付けた画架において、脚に外嵌するＣ字形の環状部材と、環状部材の両端部を接近させる締結部材と、受け部とによって支持部材を構成したものであり、環状部材に球状突部を突設し、受け部に平面部と平面部の両側の下面に突設した垂直部を形成し、前記垂直部に上記球状突部を係合する丸孔を穿設したものであり、球状突部の側面に突起が突設されており、当該突起が前記丸孔内でのみ移動できることを特徴とする画架である。
【００１４】
上記の第１の手段によれば、脚に外嵌する環状部材をＣ字形としたことにより、環状部材の両端部は、脚の外径に対応して接近又は離隔する。そして、この環状部材の両端部は締結部材によって接近させられるため、支持部材は脚を締めつける状態に取り付けることができる。
【００１５】
また、上記の第１の手段によれば、支持部材を環状部材と受け部材とから構成したことにより、受け部材上にカンバスを載せることができる。環状部材は任意の位置の脚に取り付けることができるため、受け部材はカンバスのサイズに合わせて載せることができる。また、環状部材と受け部とは、環状部材に突設した球状突部と、受け部の垂直部に穿設した丸孔とが係合するため、受け部を起立させることにより、コンパクトに支持部材を収納することができ、受け部を水平姿勢とすることにより、カンバスを載せることができる。
【００１６】
上記の課題を解決するための第２の手段は、上記の第１の手段に記載の締結部材の先端部を折曲し、外管又は内管の外径に対応させて、前記締結部材の先端部を係合する係合溝を、環状部材の一端部に複数形成したことを特徴とする画架である。
【００１７】
上記の第２の手段によれば、外径の大きな外管に支持部材を取り付けるときは、締結部材の先端部が端部側の係合溝と係合させ、外径の小さな内管に支持部材を取り付けるときは、締結部材の先端部が中央部寄りの係合溝と係合させ、締結部材を脚に取り付けることができる。
【００１８】
上記の課題を解決するための第３の手段は、上記の第１の手段又は第２の手段に記載の環状部材の他端部に軸受を突設し、前記軸受にレバーの基端部を枢着し、レバーの中間部に締結部材の基端部を枢着したことを特徴とする画架である。
【００１９】
上記の第３の手段によれば、レバーは環状部材に突設した軸受を回転軸にして揺動し、締結部材はレバーの中間部を回転軸に揺動することができる。したがって、レバーの遊端部を環状部材から離れさせると、締結部材が環状部材から外れ、締結部材が環状部材に係合した状態で、レバーの遊端部を環状部材に近接させると、締結部材が環状部材に係合した状態を維持することができる。
【００２０】
上記の課題を解決するための第４の手段は、外管と、前記外管内から伸長・退入する内管とをクランパによって連結した脚を含む画架において、クランパを、軸方向に相対的に移動する内筒と外筒とから構成し、内筒の内管を外嵌する側の端部にスリットを形成し、外周をテーパ状に拡径させると共に、前記内筒に案内孔を形成し、前記案内孔に嵌入するピンを外筒の内面に突出させたものであり、外筒に対して回転力が加えられると、外筒の内面から突出したピンが内筒の案内溝内を移動し、外筒が上下方向および周方向に回転して内筒が外筒内を軸方向に移動し、ピンが内筒の上端部寄りの案内孔内に位置しているときは、テーパー状に拡径した内筒の内管を外嵌する側の端部が、外筒の下端部から突出し、内筒内の内管が自由に移動可能となり、ピンが内筒の上端部から離れた周方向の案内孔内に位置しているときは、内筒の内管を外嵌する側の端部が、外筒の下端部内に収納され、当該下端部が縮径して内管を締め付けることを特徴とする画架である。
【００２１】
上記の第４の手段によれば、内筒の端部にスリットを形成したことにより、その内筒の端部は拡径及び縮径することができる。その内筒の端部の外周はテーパ状に拡径したことにより、その内筒の端部が外筒内に収納すると、その内筒の端部は縮径する。逆に、その内筒の端部が外筒内から突出すると、拡径したその内筒の端部が外筒の外で拡開するため、その内筒の端部は拡径する。その内筒の端部が縮径すると、内筒内の内管が内筒に保持され、その内筒の端部が拡径すると、内筒内の内管は内筒に保持されなくなる。
【００２２】
上記の第４の手段によれば、外筒を回すことにより、外筒の内面に突出したピンが内筒に形成した案内孔内を相対的に移動する。したがって実際は、ピンを案内孔内に嵌入した内筒が外筒内を軸方向に移動し、スリットを形成した内筒の端部が拡径又は縮径する。
【００２３】
【発明の実施の形態】
本発明の実施の形態について図１から図１６を参照して説明する。図１は、本発明に係る画架の使用時の斜視図である。図２は、本発明に係る画架の使用時の正面図である。図３は、本発明に係る画架の使用時の側面図である。図４は、本発明に係る画架の図３とは別の使用態様の側面図である。
【００２４】
図５は、本発明に係る画架を構成する連結具の斜視図ある。図６は、本発明に係る画架
を構成するクランパの分解斜視図である。図７は、本発明に係る画架を構成するクランパ
を緩めたときの正面図である。図８は、本発明に係る画架を構成するクランパを締めたと
きの正面図である。
【００２５】
図９は、本発明に係る画架を構成する支持部材の斜視図である。図１０は、本発明に係る画架を構成する支持部材の分解斜視図である。図１１は、本発明に係る画架を構成する支持部材を脚に固定する前の平面図である。図１２は、本発明に係る画架を構成する支持部材を脚に固定した後の平面図である。
【００２６】
図１３は、本発明に係る画架の押さえ部材の分解斜視図である。図１４は、本発明に係る画架の押さえ部材の斜視図である。図１５は、本発明に係る画架の押さえ部材の正面断面図である。図１６は、本発明に係る画架の押さえ部材の平面図である。
【００２７】
本発明に係る画架は図１に示すように、３本の脚１が閉脚・開脚することができるように頂点で連結具３によって枢着し、その連結具３に支持杆７を昇降動自在に挿通した一般的な構造を基本とする。３本の脚１を枢着し、また支持杆７を挿通する連結具３は、図５に示すように平面形状がＴ字形をしており、３方向に突出している突出部３１の下面には脚１を挿入する溝３２を形成し、中心部には支持杆７を挿通する角筒部３３を形成する。
【００２８】
３つの突出部３１の溝３２内に挿入される脚１の上端部と、各突出部３１とにはボルト（図示せず）などを挿通する連続孔（図示せず）を穿設し、前記ボルトをナット（図示せず）によって締結し、脚１が揺動できるように連結具３に枢着する。脚１が揺動できるようにすることによって、画架を使用しないときは閉脚してコンパクトに収納することができ、画架を使用するときは開脚して立設することができる。開脚した脚１は、突出部３１の内壁３４に当接し、一定以上に開脚することがない。脚１が当接する内壁３４は円弧状の面取りをすることにより、安定した状態に開脚させることができる。
【００２９】
脚１は外管１０と内管２０とから構成する二重管とし、内管２０が外管１０内に収納された状態と、外管１０から任意の長さだけ突出した状態とに長さを変えることができるようにする。脚１を保持する連結具３の平面形状がＴ字形であるから、３本の脚１を同じ長さにすると、図３に示すように正面が鉛直方向に起立する。手前側の脚１が向こう側の脚１よりも長くすると、図４に示すように正面が傾倒した姿勢となる。
【００３０】
脚１を所望の長さに調整するために、外管１０内から引き出す内管２０は、図６から図８に示すようなクランパ４によって仮固定する。クランパ４は外筒４０と前記外筒４０と同じ長さの内筒５０とから構成する。外筒４０の内面は下側の縮径部４１と上側の拡径部４２との２段になるような段差４３を設ける。その段差４３の境界部の１点に小孔を穿設し、その小孔内には外筒４０内に突出するようなピン４４を嵌入する。
【００３１】
他方、内筒５０の内面は、脚１の外管１０の下端部１１を外嵌する拡径部と、内管２０
の上端部を外嵌する縮径部を形成する。拡径部の開口端付近には、一対の凸部５３を突設
し、外管１０の下端部１１には、その凸部５３を嵌入する一対の係合孔（図示せず）を穿
設する。また、内筒５０の長さ方向には、間隙部５１を全長に形成し、内筒５０がわずか
に拡径及び縮径できるようにする。内筒５０が拡径することにより、内面に凸部５３が突
設されていても、外管１０に外嵌し、外管１０の係合孔に内筒５０の凸部５３を嵌入する
ことができる。
【００３２】
内筒５０の外面の上端部には鍔５４を形成し、この鍔５４が外筒４０の拡径部４２内でのみ相対的に移動して、内筒５０の下側から外嵌した外筒４０が内筒５０の上側方向へ外れないようにする。内筒５０の下端部５２外面は、中間部から次第に拡径するテーパとする。さらに内筒５０の下端部５２から中間部には、上記の間隙部５１から90°の間隔で３本のスリット５５を等間隔に形成し、内筒５０の下側が拡縮できるようにする。
【００３３】
２本のスリット５５の間には、外筒４０の内面に突出したピン４４が嵌入できる連続した溝５６と案内孔５７とを形成する。案内孔５７は円弧部５７ａと円弧部５７ａの両端で周方向と軸方向の２つの直線部５７ｂとを形成し、円弧部５７ａと直線部５７ｂとの両境界部には案内孔５７を僅かに狭める突起５７ｃを突設したものとする。
【００３４】
内筒５０を外筒４０内に挿入すると、当初は外筒４０の内面に突出したピン４４が内筒５０の溝５６内に嵌入し、内筒５０の下端部５２が撓むが、ピン４４が案内孔５７内に嵌入すると、撓んだ内筒５０の下端部５２が元の真っ直ぐな姿勢に戻る。そして、案内孔５７内に嵌入したピン４４は、溝５６内に戻ることができなくなり、案内孔５７内でのみ移動できるようになる。ただし、案内孔５７に突設した突起５７ｃによって、ピン４４は案内孔５７内を自由に移動できなくなり、ピン４４を嵌入している外筒４０は、回転力を加えられたときだけ、回転することができる。
【００３５】
回転力を加えられた外筒４０は、上下方向及び周方向にわずかに回転し、外筒４０の内面から突出したピン４４が内筒５０の案内孔５７内を移動することができる。ピン４４が内筒５０のフランジ寄りの案内孔５７内に位置しているときは、図７に示すように内筒５０の下端部５２が外筒４０の下端部４５からわずかに突出する。したがって、テーパ状に拡径している内筒５０の下端部５２は、内筒５０は縮径することがなく、内筒５０内の内管２０は自由に移動することができるようになる。
【００３６】
外筒４０を回転して、ピン４４が内筒５０の鍔５４から離れた周方向の案内孔５７内に位置しているときは、図８に示すように内筒５０の下端部５２が外筒４０の下端部４５内に収納される。内筒５０の下端部５２はテーパ状に拡径しているため、内筒５０の下端部５２が外筒４０の下端部４５内に収納されると、内筒５０の下端部５２は縮径し、内筒５０の下端部５２内が内管２０を締めつける。したがって、内管２０を外管１０内から任意の長さだけ引き出して固定することができる。
【００３７】
カンバスＣを支持する支持部材６は図９から図１２に示すように、脚１に嵌合する基部６０と、基部６０に枢着されてカンバスＣを載せる受け部７０とから構成する。基部６０は可撓性を有するＣ字形の環状部材６１と、環状部材６１に枢着するレバー６２と、レバー６２に枢着する締結部材６３とから構成する。
【００３８】
環状部材６１は脚１に嵌合するものであるが、定常状態において、平面形状が図１１に示すように、真円ではなく、楕円形のような形状になるようにする。そして、環状部材６１の両端部を強制的に外管１０の直径まで拡開することにより、環状部材６１が外管１０を締めつけるように嵌合させる。環状部材６１の形状が定常状態において、楕円形のような形状としたことにより、環状部材６１が外管１０を締めつける嵌合力が強くなる。環状部材６１の両端部が拡開しやすいようにするため、環状部材６１の中央部の内面には溝６１ａを形成しておくことが望ましい。
【００３９】
環状部材６１の一端部はレバー６２の基端部を軸６４によって枢着するための軸受６１ｂを突設する。環状部材６１の他端部は締結部材６３の先端部を嵌合する複数の係合溝６１ｃを形成する。締結部材６３の先端部はＶ字形に折曲して環状部材６１の係合溝６１ｃに係合し、環状部材６１の係合溝６１ｃから容易に外れないようにする。環状部材６１が外径の大きな外管１０に外嵌するときは、締結部材６３の先端部が環状部材６１の端部側の係合溝６１ｃに係合する。環状部材６１が外径の小さな外管１０に外嵌するときは、締結部材６３の先端部が環状部材６１の中央部寄りの係合溝６１ｃに係合する。
【００４０】
締結部材６３の基端部はレバー６２を挟むようにコ字形として、レバー６２の中間部に軸６５によって枢着する。レバー６２は環状部材６１の軸受６１ｂを回転軸に揺動し、締結部材６３はレバー６２の中間部を回転軸に揺動する。したがって、レバー６２の遊端部を環状部材６１から離隔させると、図１１に示すように締結部材６３の先端部を環状部材６１の溝から外すことができる。逆に締結部材６３の先端部を環状部材６１の係合溝６１ｃに嵌合した状態で、レバー６２の遊端部を環状部材６１に接合すると、図１２に示すように締結部材６３の先端部が環状部材６１の係合溝６１ｃから外れることがないように仮固定することができる。
【００４１】
環状部材６１の外側の下側には図１０に示すように、平坦部６１ｅを形成する。環状部材６１の外側の中間には球状突部６１ｄを突設し、この球状突部６１ｄに受け部７０が比較的に任意の方向に向くことができるように枢着する。受け部７０はある程度の弾性を有するように樹脂などで製造し、カンバスＣを載せる平面部７１と、平面部７１の両側の下面に突設した三角形状の垂直部７２と、平面部７１の先端部に突設した脱落止め７３とから構成する。
【００４２】
垂直部７２の内寸は球状突部６１ｄの外径よりもやや狭くし、垂直部７２の幅の広い基端側が拡開しないように、垂直部７２の基端側の先端部はピン７４によって連結する。さらに垂直部７２の基端側には丸孔７２ａを穿設し、この丸孔７２ａに球状突部６１ｄの側面が係合するようにする。受け部７０は、垂直部７２の内寸が球状突部６１ｄの外径よりもやや狭くても、二枚の垂直部７２の間隔を広げるようにして、球状突部６１ｄの側面が垂直部７２の丸孔７２ａ内に係合することができる。また、平面部７１の基端部にはＵ字形の切欠部７１ａを形成し、この切欠部７１ａに球状突部６１ｄの上面が露出して係合するようにする。
【００４３】
球状突部６１ｄの側面と上面が、それぞれ受け部７０の垂直部７２の丸孔７２ａと平面部７１の切欠部７１ａに係合することにより、受け部７０は起立姿勢と水平姿勢とに揺動できるように連結される。垂直部７２の幅の広い基端面は、受け部７０が水平姿勢のときに環状部材６１の平坦部６１ｅと当接し、水平姿勢を維持することができる。
【００４４】
起立姿勢にした受け部７０が水平姿勢に戻らないようにするため、球状突部６１ｄの頂部には突起６１ｆを突設し、この突起６１ｆが受け部７０の平面部７１の下面と当接するようにする。この受け部７０が起立姿勢をより確実に維持できるようにするため、平面部７１の切欠部の最も奥側にも、球状突部６１ｄの頂部に突設した突起６１ｆに係止する突起（図示せず）を突設することもできる。受け部７０はある程度の弾性を有するため、わずかな力を加えることによって、球状突部６１ｄの突起６１ｆが受け部７０の平面部７１と係止して起立姿勢を維持したり、外すことによって水平姿勢とすることができるようにする。
【００４５】
水平姿勢の受け部７０は、垂直部７２の基端面が環状部材６１の平坦部と当接するため、長さ方向には水平方向を維持する。しかし、受け部７０は球状突部６１ｄに連結されているため、中心軸を回転軸にして、幅方向（図９におけるθ）に回動する。したがって脚１を開脚し、基部６０が傾斜していても、受け部７０は水平姿勢となる。ただし、受け部７０が幅方向に360 °回転しないようにするため、球状突部６１ｄの両側面には突起６１ｇを突設し、この突起６１ｇが受け部７０の垂直部７２に穿設した丸孔７２ａでのみ移動できるようにする。そうすることにより、受け部７０は平面部７１の中心軸を回転軸に、一定の角度内で回動することができる。このようにして、水平姿勢の受け部７０は、平面部７１にカンバスＣの下縁を容易かつ確実に載せることができる。
【００４６】
カンバスＣの上縁は支持杆７の頂部に固着した押さえ部材７によって保持されるようにする。押さえ部材７は図１３から図１６に示すように、ケース８０とスライダー９０とから構成する。ケース８０の上面には開口部８１を形成し、開口部８１の周辺の下面には鋸歯形状の咬合部８２を形成する。ケース８０の前面にはスライダー９０が出入りする挿通孔８３を穿設する。ケース８０の下面には支持杆７を固着する接続凸部８４を突設する。
【００４７】
他方、スライダー９０はケース８０内に収納されて前後動する板状のものであり、手前部分がケース８０の挿通孔８３から突出し、その最先端は折曲して固定部９１を形成する。ケース８０内に収納されるスライダー９０の後部の下面には、可撓性を有する２本の弾性部材９２を突設する。この弾性部材９２はケース８０の底面内側を押圧して、ケース８０内のスライダー９０をケース８０外へ付勢する。スライダー９０の後部の上面には、波形の押部９３と押部９３の手前側に突設した摘まみ９４とを形成し、押部９３及び摘まみ９４を押圧することにより、弾性部材９２を撓めることができるようにする。
【００４８】
摘まみ９４の両側には、ケース８０の咬合部８２と噛合する三角形状の突起である咬合部９５を突設する。スライダー９０は弾性部材９２によって、ケース８０外へ付勢されているため、スライダー９０に形成した咬合部９５とケース８０の咬合部８２とが噛合して、スライダー９０が仮固定される。スライダー９０を移動させるときは、押部９３及び摘まみ９４を押圧して、弾性部材９２を撓ませ、スライダー９０の咬合部９５をケース８０の咬合部８２から外す。
【００４９】
ケース８０の下面に突設した接続凸部８４には、支持杆７の頂部を固着する。支持杆７の下部は図５に示すように、連結具３の中心部に形成した角筒部３３に挿通する。角筒部３３の後面は、ネジ孔（図示せず）と連通する。ネジ孔は連結具３の後ろ側の突出部３１の天板部分に形成する。このネジ孔に固定ネジ３５を挿通する。固定ネジ３５の先端部分が角筒部３３にの支持杆７を押圧することにより、支持杆７が所定の位置を維持するようにする。固定ネジ３５を緩めると、角筒部３３の後面が固定ネジ３５に押圧されなくなるため、支持杆７は自在に昇降動することができる。
【００５０】
本発明に係る画架は以上のように構成し、つぎにその使用方法について説明する。
【００５１】
画架は収納状態において、３本の脚１が閉じられ、脚１の内管２０は外管１０内に収納されてコンパクトになる。したがって使用するときは、３本の脚１を開脚し、カンバスＣの大きさなどに合わせて、脚１の内管２０を外管１０内から引き出す。
【００５２】
内管２０を外管１０内から引き出して固定するには、クランパ４を操作する。すなわち、外筒４０を回して図７に示すように、内筒５０の下端部５２が外筒４０の下端部４５から突出し、内筒５０の下端部５２を拡径させる。すると、内筒５０は内管２０を保持しなくなり、内管２０が自由に移動できるようになる。
【００５３】
内管２０を所望の長さだけ外管１０内から引き出した後、外筒４０を上記とは逆方向に回し、図８に示すように内筒５０の下端部５２を外筒４０内に収納させる。すると、内筒５０が縮径して内管２０を保持する。したがって内管２０は仮固定された状態となって外管１０内に入り込むことがなくなる。
【００５４】
３本の脚１を同じ長さにすると、すなわち内筒５０を外筒４０内から同じ長さだけ引き出すと、前面の脚１は横方向に延びて、後ろ側の脚１は後方に延びるため、図２に示すように前面が鉛直方向に起立した姿勢となる。後ろ側の脚１の長さを、前面の脚１の長さよりも短くすると、図３に示すように傾倒した姿勢となる。このように脚１を任意の長さとすることにより、使用状態に応じた姿勢とすることができる。
【００５５】
つぎに、カンバスＣを支持部材６に載せる方法について説明する。収納状態における支持部材６は、受け部７０が衣服に引っ掛からないようにするため、球状突部６１ｄの頂部に突設した突起６１ｆが、受け部７０の平面部７１を係止して起立姿勢にされている。したがって、受け部７０の平面部７１を、球状突部６１ｄの突起６１ｆから外して、水平姿勢にする。
【００５６】
さらに、支持部材６はカンバスＣのサイズに合わせて固定位置を変更する。すなわち、小さなカンバスＣでは幅が狭いため、支持部材６を脚１の外管１０の上側に固定し、大きなカンバスＣでは幅が広いため、支持部材６を脚１の内管２０の下側に固定する。支持部材６を移動させるには、図１１に示すようにレバー６２の遊端部を環状部材６１から離隔させ、締結部材６３の先端部を環状部材６１の係合溝６１ｃから外す（図１１は支持部材６の環状部材６１が脚１に嵌合していない状態であるが、レバー６２の動きについては同じ）。すると、支持部材６は、環状部材６１が単に脚１に嵌合しているだけとなり、環状部材６１の保持力が弱くなるため、軽い力で移動できる。
【００５７】
支持部材６が所望の位置まで移動すると、図１２に示すように、締結部材６３の先端部を環状部材６１の係合溝６１ｃに嵌合させて、レバー６２の遊端部を環状部材６１に接合させる。環状部材６１の係合溝６１ｃは、脚１の外管１０と内管２０の外径に合わせて２カ所に形成してある。したがって、締結部材６３を脚１の外管１０に固定するときは、締結部材６３の先端部を環状部材６１の端部側の係合溝６１ｃに係合する。そして、締結部材６３を脚１の内管２０に固定するときは、締結部材６３の先端部を環状部材６１の中央部寄りの係合溝６１ｃに係合する。このように支持部材６は、外管１０又は内管２０のそれぞれの外径に対応させて、締結部材６３の先端部を環状部材６１の係合溝６１ｃに係合させることができる。
【００５８】
締結部材６３の先端部が環状部材６１の係合溝６１ｃに係合すると、環状部材６１の両端部が接近するような力が加えられ、脚１が環状部材６１に締めつけられるため、支持部材６は移動しにくくなって、受け部７０の平面部７１上にカンバスＣを載せることができる。平面部７１は前後方向にも左右方向にも水平であるから、平面部７１の全面にカンバスＣの下縁を載せることができる。また、カンバスＣを載せた平面部７１の先端部には脱落止め７３を突設してあるため、カンバスＣが手前方向に滑り落ちることがない。
【００５９】
カンバスＣが倒れないように、カンバスの上縁を保持する押さえ部材７は、収納状態において、連結具３と当接するまで最も下降してコンパクトにされている。したがって、カンバスＣのサイズに合わせて押さえ部材７を上昇させる。すなわち、押さえ部材７を頂部に固着している支持杆７は、連結具３の突出部３１に挿通してある固定ネジ３５を緩めて上昇する。押さえ部材７が所望の位置まで上昇すると、支持杆７は固定ネジ３５を締めることによって、角筒部３３内に保持された状態に固定する。
【００６０】
そして、押さえ部材７のスライダー９０をカンバスＣの厚さに合わせてケース８０内から突出させる。スライダー９０は収納状態において、図１５に示すようにケース８０内に収納され、固定部９１が衣服などに引っ掛からないようにされている。そして押部９３及び摘まみ９４を押圧することにより、スライダー９０の咬合部９５がケース８０の咬合部８２から外れ、スライダー９０は図１６に示すようにケース８０内を前方に引き出す。カンバスＣの厚さに応じた所望の長さだけ引き出されると、押部９３及び摘まみ９４を押圧することを止める。すると、弾性部材９２によってスライダー９０がケース８０の開口部８１側へ付勢され、スライダー９０の咬合部９５がケース８０の咬合部８２と噛合し、スライダー９０は移動しないように仮固定される。
【００６１】
以上のようにしてカンバスＣはどのようなサイズであっても、本発明に係る画架にセットすることができる。また、画架を使用しないときは、脚１を閉脚し、押さえ部材７を連結具３と当接するまで下降し、スライダー９０をケース８０内に退入することにより、画架はコンパクトに収納することができる。
【００６２】
本発明は上記の実施の形態に限定することなく、本発明の要旨内において設計変更することができる。その変形例を図１７から図１８に示して説明する。ただし、上記の実施の形態と同一に相当する部分は、同一符号を付する。
【００６３】
図１７及び図１８は、脚１の長さを調整するためのクランパ４の変形例を示したものであるが、このクランパ４も外筒１４０と内筒１５０などから構成する。外筒１４０の内面は段差を形成し、内面の下側は、下端の開口部方向に拡径するテーパ面１４１とする。外筒１４０の中間部の内面には上側に開口する環状溝１４２を形成する。
【００６４】
他方、内筒１５０は上端の外周に外筒１４０の内面と接合するフランジ１５１を形成し、内筒１５０の外周と外筒１４０の内周との間に空間Ｓを形成する。この空間Ｓと上記外筒１４０の環状溝１４２との間には圧縮バネ１４４を収納する。内筒１５０の上側の内面には突起１５２を２カ所に突設する。この突起１５２は外管１０の下部に穿設した小孔１４に嵌入する。突起が１５２があっても、内筒１５０内に外管１０を挿入しやすくするため、突起１５２の上側はテーパ面を形成する。
【００６５】
内筒１５０の下側には窓穴１５３を穿設する。この窓穴１５３内には円弧状の小片１５４を装入する。小片１５４の外周は、外筒１４０のテーパ面１４１と接合するテーパ面とする。小片１５４の内側は凹陥部を形成し、この凹陥部内には、外管１０の下端部１１内から出入りする内管２０と接合する滑り止め１５５を嵌入する。この小片１５４を装入する窓穴１５３の上側の内筒１５０の内面には、外管１０の下端縁が当接する凸条１５６を突設する。
【００６６】
以上のような変形例におけるクランパ４は、次のようにして脚１に取り付ける。すなわち、まず内筒１５０内の上側に外管１０の下端部を挿入する。内筒１５０の内面には突起１５２が突設されているが、突起１５２の上側はテーパ面であるから、外管１０は内筒１５０内に比較的容易に挿入することができる。外管１が内筒１５０内の所定の位置まで挿入されると、内筒１５０の突起１５２が外管１０の小孔１４に嵌入し、外管１０の下端縁が内筒１５０の凸条１５６に当接する。内筒１５０内の下側には、外管１０の下端部内にも挿入する内管２０を挿入する。そして、内筒１５０の窓穴１５３内に、滑り止め１５５を嵌入した小片１５４を装入する。
【００６７】
つぎに、環状溝１４２内に圧縮バネ１４４を収納した外筒１４０を内筒１５０に外嵌する。圧縮バネ１４４は内筒１５０のフランジ１５１と当接し、外筒１４０は下方へ付勢される。外筒１４０の下側の内面はテーパ面１４１であり、このテーパ面１４１が小片１５４のテーパ面と当接する。したがって、外筒１４０が圧縮バネ１４４によって下方へ付勢されることにより、小片１５４も下方へ付勢されるだけでなく、内管２０の中心軸方向にも付勢される。すると、小片１５４に嵌入した滑り止め１５５が内管２０を押圧して保持した状態を維持することができる。
【００６８】
また図１９は、押さえ部材７の変形例を示したものである。この押さえ部材７はケース８０の開口部８１の側面に鋸歯形状の咬合部８２を形成したものである。したがって、この咬合部８２と噛合する三角形状の咬合部９５は、スライダー９０の上面に形成した押部９３の側方に突出するようにする。
【００６９】
さらに上記の実施の形態では、脚１は外管１０と内管２０との２本で構成したが、図２０に示すように３本以上でも構成することができる。外管１０内に挿入される中間の内管２１は、先端側の内管２２に対しては外管となるが、ここでは便宜上、中間の内管２１という。中間の内管２１の下端部と先端側の内管２２とは、クランパ４によって連結する。クランパ４は外筒４０内に、下端部が拡径及び縮径する内筒５０を挿入したものであり、内筒５０内の上側に中間の内管２１の下端部を固定し、内筒５０の下端部が、所望の長さだけ引き出された先端側の内管２２を保持する。外筒４０を回すことによって、内筒５０の下端部は拡径及び縮径し、先端側の内管２２を保持しない状態と保持する状態とに転換する。
【００７０】
上記の実施の形態のように、クランパ４の内筒５０が外管１０の下端部を固定しているときは、外管１０の上端部が連結具３に固定されているため、クランパ４の外筒４０を回しても、外管１０が連られて回ることはない。しかし、中間の内管２１を単に外管１０内に挿入しただけでは、中間の内管２１が外管１０内で自由に回ることができるため、中間の内管２１の下端部と先端側の内管２２とを連結しているクランパ４の外筒４０を回すことによって、内筒５０と内筒５０内の中間の内管２１も回ってしまい、内筒５０の下端部を拡縮及び拡径することができない。
【００７１】
そこで図２０に示すように、外管１０、中間の内管２１及び先端側の内管２２に、それぞれ係合する複数の凹条１０ａ，２１ａ，２２ａを形成することにより、中間の内管２１が外管１０内で回らないようにすることが望ましい。中間の内管２１が回らないようにすることにより、クランパ４の外筒４０を回しても、内管２１に固定された内筒５０は回らなくなり、内筒５０の下端部が拡径及び縮径し、先端側の内管２２を保持しない状態と保持する状態とに転換できる。
【００７２】
なお、脚１を３本以上で構成するときは、支持部材６の環状部材６１に形成する係合溝６１ｃも、脚１の外径に合わせて３カ所以上に形成し、それぞれの脚１に支持部材６を取り付けることができるようにすることも可能である。
【００７３】
【実施例】
上記の実施の形態に使用する画架の材質は、脚としてアルミニウムなどの軽合金又は硬質の樹脂を使用し、他の部品としてポリプロピレンやＡＢＳなどの樹脂を使用することができる。特に、支持部材の環状部材は、両端部を拡開して脚に取り付けるため、弾力性が必要である。また、支持部材の受け部は起立姿勢を維持するために、受け部の平面部が球状突部の咬合部に係止されるように弾性変形する必要があることから、この部品も弾力性が必要である。
【００７４】
また、上記の変形例における小片の内側の凹陥部内に嵌入する滑り止めは、ゴムなどの摩擦係数の大きな材質を使用することにより、クランパの内筒が脚を滑ることなく保持することができる。
【００７５】
【発明の効果】
請求項１から請求項３に記載の本発明によれば、支持部材をＣ字形の環状部材と、環状部材の両端部を接近させる締結部材とによって構成したことにより、様々な外径の脚にも支持部材を強固に取り付けることができる。
【００７６】
特に、請求項３に記載の発明によれば、レバーの操作だけで、締結部材が環状部材と係合させ、また、係合した状態を解除することができるため、支持部材を脚に取り付ける位置の調整が容易になる。したがって、カンバスのサイズに合わせた位置の脚に支持部材を取り付けることができることとなり、絵などを描きやすくなり、また絵画などを鑑賞しやすくなる。
【００７７】
さらに、請求項１に記載の発明によれば、支持部材は、任意の位置の脚に取り付けることができる環状部材と、カンバスを載せる受け部とから構成したことにより、様々なサイズのカンバスを最適の位置に載せることができる。また、受け部は、カンバスを載せる際の水平姿勢と、収納する際の起立姿勢に転換することができる。したがって、収納する際に衣服などが受け部に引っ掛かるといったような不具合が生じることがなくなる。
【００７８】
また、請求項４に記載の発明によれば、外管内から所望の長さだけ伸長した内管を、クランパの内筒が保持するため、脚の長さの調整が容易になる。しかも、クランパは片手で操作できるため、一方の手がカンバスを押さえながら脚の長さを調整することが可能になる。したがって、カンバスを最適の場所に位置させることができるようになる。
【図面の簡単な説明】
【図１】  本発明に係る画架の使用時の斜視図である。
【図２】  本発明に係る画架の使用時の正面図である。
【図３】  本発明に係る画架の使用時の側面図である。
【図４】  本発明に係る画架の図３とは別の使用態様の側面図である。
【図５】  本発明に係る画架を構成する連結具の斜視図ある。
【図６】  本発明に係る画架を構成するクランパの分解斜視図である。
【図７】  本発明に係る画架を構成するクランパを緩めたときの正面図である。
【図８】  本発明に係る画架を構成するクランパを締めたときの正面図である。
【図９】  本発明に係る画架を構成する支持部材の斜視図である。
【図１０】  本発明に係る画架を構成する支持部材の分解斜視図である。
【図１１】  本発明に係る画架を構成する支持部材を脚に固定する前の平面図である。
【図１２】  本発明に係る画架を構成する支持部材を脚に固定した後の平面図である。
【図１３】  本発明に係る画架の押さえ部材の分解斜視図である。
【図１４】  本発明に係る画架の押さえ部材の斜視図である。
【図１５】  本発明に係る画架の押さえ部材の正面断面図である。
【図１６】  本発明に係る画架の押さえ部材の平面図である。
【図１７】  本発明に係る画架の変形例を示すクランパの分解斜視図である。
【図１８】  本発明に係る画架の変形例を示すクランパの断面図である。
【図１９】  本発明に係る画架の変形例を示す押さえ部材の一部断面斜視図である。
【図２０】  本発明に係る画架の変形例を示す脚の一部断面斜視図である。
【図２１】  従来の画架の支持部材を示す斜視図である。
【図２２】  従来の画架の支持部材の図２１とは別方向の斜視図である。
【図２３】  従来の画架の押さえ部材を示す断面図である。
【符号の説明】
１    脚
４    クランパ
６    支持部材
４０    外筒
４４    ピン
５０    内筒
５５    スリット
５７    案内孔
６１    環状部材
６１ｂ  軸受
６１ｃ  係合溝
６１ｄ  球状突部
６２    レバー
６３    締結部材
７０    受け部
７１    平面部
７２    垂直部
７２ａ  丸孔
【図１】
0003647003.tif 000002
【図２】
0003647003.tif 000003
【図３】
0003647003.tif 000004
【図４】
0003647003.tif 000005
【図５】
0003647003.tif 000006
【図６】
0003647003.tif 000007
【図７】
0003647003.tif 000008
【図８】
0003647003.tif 000009
【図９】
0003647003.tif 000010
【図１０】
0003647003.tif 000011
【図１１】
0003647003.tif 000012
【図１２】
0003647003.tif 000013
【図１３】
0003647003.tif 000014
【図１４】
0003647003.tif 000015
【図１５】
0003647003.tif 000016
【図１６】
0003647003.tif 000017
【図１７】
0003647003.tif 000018
【図１８】
0003647003.tif 000019
【図１９】
0003647003.tif 000020
【図２０】
0003647003.tif 000021
【図２１】
0003647003.tif 000022
【図２２】
0003647003.tif 000023
【図２３】
0003647003.tif 000024